(57)【要約】【課題】  バックアップ状態を保持できる時間を予め知ることができるようにすると共にバックアップ電池の容量を無駄に消費することのないようにすることを目的とする。【解決手段】  メイン電池３とバックアップ電池８とを有し、このメイン電池３が抜かれたときにバックアップデバイス９にこのバックアップ電池８より電源を供給するようにした携帯通信端末において、バックアップ時間を計測するバックアップタイマー１４とこのバックアップ電池８の電圧を検出する電圧検出手段１３とを設け、このバックアップタイマー１４がタイマー終了した時点でバックアップスイッチ６をシャットダウンすると共にこのバックアップタイマー１４がタイマー終了以前でもこのバックアップ電池８の電圧が規定電圧以下となった時点でこのバックアップスイッチ６をシャットダウンするようにしたものである。【選択図】        図１
2005159472.tif 000002
【特許請求の範囲】
【請求項１】
メイン電池とバックアップ電池とを有し、前記メイン電池が抜かれたときにバックアップデバイスに前記バックアップ電池より電源を供給するようにした携帯通信端末において、
バックアップ時間を計測するバックアップタイマーと前記バックアップ電池の電圧を検出する電圧検出手段とを設け、
前記バックアップタイマーがタイマー終了した時点でバックアップスイッチをシャットダウンすると共に前記バックアップタイマーがタイマー終了以前でも前記バックアップ電池の電圧が規定電圧以下となった時点で前記バックアップスイッチをシャットダウンするようにしたことを特徴とする携帯通信端末。
【請求項２】
請求項１記載の携帯通信端末において、
バックアップレジスタを設け、該バックアップレジスタに前記バックアップスイッチのシャットダウン情報を記憶するようにしたことを特徴とする携帯通信端末。
【発明の詳細な説明】
【技術分野】
【０００１】
本発明は例えば携帯電話装置等の携帯通信端末に関する。
【背景技術】
【０００２】
一般に携帯電話装置等の携帯通信端末においては、この携帯通信端末の動作電源としてのメイン電池の外に、このメイン電池の交換時等このメイン電池が抜かれたときに揮発性のＲＡＭ等のバックアップデバイスに所定時間バックアップ電源供給する比較的小容量の２次電池より成るバックアップ電池が設けられていた。
【０００３】
従来このバックアップ電池によるバックアップ電源の供給をシャットダウンするのに、このバックアップ電池の電圧を検出し、この電圧がバックアップデバイスが不動作となる規定電圧、例えば２．５Ｖ以下となったときにシャットダウンするようにしたものと、このバックアップ時間を予め決め、このバックアップをタイマーを用いタイマー終了時にシャットダウンするものとがあった。
【発明の開示】
【発明が解決しようとする課題】
【０００４】
然しながら、バックアップ電池の電圧が規定電圧以下となったときにシャットダウンするようにしたときには、このバックアップデバイスをどのくらいの時間バックアップ状態を保持できるのかわからない不都合があった。
【０００５】
また、タイマー終了後にシャットダウンするようにしたときには、タイマー動作中にバックアップ電池の電圧が規定の電圧（バックアップデバイスの動作保証電圧）以下になっても、タイマーが終了するまではバックアップデバイス（負荷）に電源を供給しつづける。従ってこのバックアップデバイスは自身の電源電圧が規定電圧以下に低下した後の動作は保証されなくなるため、バックアップ電池の電圧がこの規定電圧以下となったときよりタイマー終了時までの間はバックアップ電池の容量を無駄に消費する不都合があった。
【０００６】
本発明は、斯る点に鑑みバックアップ状態を保持できる時間を予め知ることができるようにすると共にバックアップ電池の容量を無駄に消費することのないようにすることを目的とする。
【課題を解決するための手段】
【０００７】
本発明携帯通信端末は、メイン電池とバックアップ電池とを有し、このメイン電池が抜かれたときにバックアップデバイスにこのバックアップ電池より電源を供給するようにした携帯通信端末において、バックアップ時間を計測するバックアップタイマーとこのバックアップ電池の電圧を検出する電圧検出手段とを設け、このバックアップタイマーがタイマー終了した時点でバックアップスイッチをシャットダウンすると共にこのバックアップタイマーがタイマー終了以前でもこのバックアップ電池の電圧が規定電圧以下となった時点でこのバックアップスイッチをシャットダウンするようにしたものである。
【発明の効果】
【０００８】
本発明によればバックアップタイマーがタイマー終了時点でバックアップスイッチをシャットダウンすると共にこのバックアップタイマーがタイマー終了以前でもこのバックアップ電池の電圧が規定電圧以下となった時点でこのバックアップスイッチをシャットダウンするようにしたので、バックアップ状態を保持できる時間を予め知ることができると共にバックアップ電池の容量の無駄な消費をなくすことができる。
【発明を実施するための最良の形態】
【０００９】
以下、図１及び図２を参照して本発明携帯通信端末を実施するための最良の形態の例につき説明する。
【００１０】
先ず、図２を参照して携帯通信端末の例につき説明する。図２に示すように、この携帯通信端末は、アンテナ１２１がアンテナ共用器１３１を介して受信回路１３２と送信回路１３４に接続してある。受信回路１３２では、指示されたチャンネルの受信処理を行い、受信回路１３２で受信された信号を、音声処理部１３３に供給して、無線伝送された音声信号や各種データを復調して抽出し、音声信号についてはスピーカ１２２から出力させる。また、マイクロホン１１３が出力する音声信号を音声処理部１３３に供給して、無線伝送用に変調するなどの処理を行い、その処理された信号を送信回路１３４で所定のチャンネルの送信信号とする送信処理を行い、その送信信号をアンテナ１２１から無線送信させる。これらの音声処理部１３３と受信回路１３２と送信回路１３４での処理は、中央制御ユニット（ＣＰＵ）１３５の制御により実行される。ＣＰＵ１３５は、この携帯通信端末内での各種信号処理を制御するマイクロプロセッサである。
【００１１】
ＣＰＵ１３５には、この端末の動作に必要な情報が記憶されるＲＯＭ１３６と、電話帳情報などのユーザが登録した情報が記憶されるＲＡＭ１３７とが接続してあり、ＣＰＵ１３５が随時記憶情報を読出すようにしてある。この場合、ＲＯＭ１３６は、所定の処理を行ったとき一部の記憶データの書換えが可能なフラッシュメモリとしてあり、電話機能に関する登録情報を書き込ますようにしてある。このＲＯＭ１３６に記憶される電話機能に関する登録情報としては、この電話端末に固有の識別番号であるＩＤデータや、無線電話会社への契約の有無の情報や、契約を行った場合には、電話会社から付与された電話番号の情報などがある。
【００１２】
キー入力部１１１やジョグダイヤル部１１２を操作した情報は、ＣＰＵ１３５に供給され、ＣＰＵ１３５がその操作情報に基づいた動作を実行させるようにしてある。表示部１２３での表示についても、ＣＰＵ１３５が制御する。
【００１３】
この図２において、１はこの携帯通信端末に電源を供給する電源部を示し、２はクロック信号を発生するリアルタイムクロック発生部を示す。
【００１４】
本例においては、この電源部１及びリアルタイムクロック（ＲＴＣ）発生部２を図１に示す如く構成する。
図１において、３は比較的大容量のメイン電池を示し、このメイン電池３に得られる電圧ＶＣＣをレギュレータ４に供給し、このレギュレータ４の出力側に例えば２．６Ｖの一定の電圧を得る如くする。
【００１５】
このレギュレータ４の出力側に得られる定電圧をこの携帯通信端末の全ての回路に電源として供給する電源端子５に供給すると共にバックアップスイッチ６の一方の固定接点６ｂに供給する。
【００１６】
またメイン電池３に得られる電圧ＶＣＣを電圧検出回路７に供給し、この電圧検出回路７に得られる検出電圧により電源の警告等種々の制御動作を行う如くする。
【００１７】
また、８は比較的小容量の２次電池より成るバックアップ電池を示し、このバックアップ電池８に得られる電圧ＶＢＡＴをバックアップスイッチ６の他方の固定接点６ｃに供給すると共にリアルタイムクロック発生部２に動作電源として供給する。
【００１８】
このバックアップスイッチ６の可動接点６ａを携帯通信端末の揮発性のＲＡＭ１３７等のバックアップデバイス９にバックアップ電源を供給するバックアップ電源端子１０に接続する。
【００１９】
このバックアップスイッチ６の可動接点６ａはメイン電池３が交換等により抜かれない通常時は、一方の固定接点６ｂに接続する如くし、このメイン電池３が交換等により抜かれたときは、この可動接点６ａは他方の固定接点６ｃに接続し、バックアップ電池８よりの電圧ＶＢＡＴをバックアップ電源端子１０に供給する如くする。
【００２０】
本例においては、このバックアップスイッチ６の可動接点６ａが他方の固定接点６ｃに接続され、バックアップ電池８よりの電圧ＶＢＡＴがバックアップデバイス９にバックアップ電源として供給されているときには、このバックアップスイッチ６の可動接点６ａの制御即ちバックアップ電源のシャットオフをスイッチ制御回路１１により行う如くする。
【００２１】
このバックアップ電源端子１０を平滑用のコンデンサ１２を介して接地すると共にこのバックアップスイッチ６の可動接点６ａに得られる電圧を電圧検出回路１３に供給する如くする。
【００２２】
この電圧検出回路１３はバックアップデバイス９の動作保証電圧である規定電圧例えば２．５Ｖ以下の例えば２．３Ｖ以下となったときに出力信号を発生し、この出力信号をスイッチ制御回路１１に供給し、このスイッチ制御回路１１によりバックアップスイッチ６の可動接点６ａを他方の固定接点６ｃから切り放し、バックアップ電源をシャットオフする如くする。
【００２３】
また本例においてはタイマーを構成するカウンタ１４を設ける。このリアルタイムクロック発生部２はクロック信号を発生する発振回路２ａとバックアップレジスタ１５とを有している。
【００２４】
このバックアップレジスタ１５にはＣＰＵ１３５よりのタイマーの時間例えば１０分間に相当するカウンタ１４の初期値を記憶する如くする。
【００２５】
リアルタイムクロック発生部２よりのクロック信号をこのカウンタ１４に供給すると共にこのクロック信号を携帯通信端末のＣＰＵ１３５等に供給する如くする。このリアルタイムクロック発生部２はバックアップ電池８の電圧ＶＢＡＴが例えば１．５Ｖ程度になるまで常時クロック信号を発生し続ける如くなされている。
【００２６】
本例においては、このメイン電池３が抜かれ、バックアップスイッチ６の可動接点６ａが他方の固定接点６ｃに接続されたときに、このバックアップレジスタ１５に記憶したタイマーの時間例えば１０分に相当する初期値をカウンタ１４にセットし、このカウンタ１４はクロック信号をカウントアップする。
【００２７】
このカウンタ１４のカウントアップが終了したとき例えば１０分間が経過したときは、この出力信号をスイッチ制御回路１１に供給し、このスイッチ制御回路１１によりバックアップスイッチ６の可動接点６ａを他方の固定接点６ｃから切り放し、バックアップ電源をシャットオフする如くする。
【００２８】
この場合、電圧検出回路１３の出力信号によりこのバックアップスイッチ６の可動接点６ａが他方の固定接点６ｃより切り放されたときは、このカウンタ１４のカウントアップを停止する。またこの所定時間例えば１０分以内にメイン電池３が挿入されたときは、このバックアップスイッチ６は通常時と同様に可動接点６ａは一方の固定接点６ｂに接続されると共にこのカウンタ１４のカウントアップを停止する。
【００２９】
また本例においては、このバックアップスイッチ６の可動接点６ａが他方の固定接点６ｃより切り放され、バックアップ電源がシャットダウンしたときは、その履歴をバックアップレジスタ１５に記憶する如くする。
【００３０】
バックアップレジスタ１５に記憶した履歴を後の解析に使用するを可とする。
【００３１】
本例によればカウンタ（バックアップタイマー）１４がカウント終了（タイマー終了）時点でバックアップスイッチ６をシャットダウンすると共にカウンタ（バックアップタイマー）１４がカウント終了（タイマー終了）以前でもバックアップ電池８の電圧が規定電圧以下となった時点でバックアップスイッチ６をシャットダウンするようにしたので、バックアップ状態を保持できる時間例えば１０分を予め知ることができると共にバックアップ電池８の容量の無駄な消費をなくすことができる。
【００３２】
尚、本発明は上述例に限ることなく本発明の要旨を逸脱することなく、その他種々の構成が採り得ることは勿論である。
【図面の簡単な説明】
【００３３】
【図１】本発明携帯通信端末を実施するための最良の形態の例の要部を示す構成図である。
【図２】携帯通信端末の例を示す構成図である。
【符号の説明】
【００３４】
１‥‥電源部、２‥‥リアルタイムクロック発生部、３‥‥メイン電池、４‥‥レギュレータ、５‥‥電源端子、６‥‥バックアップスイッチ、７，１３‥‥電圧検出回路、８‥‥バックアップ電池、９‥‥バックアップデバイス、１０‥‥バックアップ電源端子、１１‥‥スイッチ制御回路、１４‥‥カウンタ、１５‥‥バックアップレジスタ、１３５‥‥ＣＰＵ、１３７‥‥ＲＡＭ
【図１】
2005159472.tif 000003
【図２】
2005159472.tif 000004